(57)【特許請求の範囲】
【請求項１】
作業機（１１）及びその作業機（１１）の電力源となる発電機（１２）が機台（１０）に搭載され、前記機台（１０）に走行機着脱部（１３）が設けられ、かつ前記発電機（１２）に走行機向け送電用のケーブル接続部（１４）が設けられている可搬作業機（１）と、
走行装置（２０）に設けた載置台（２１）に走行用パワーユニット（２２）が搭載され、前記載置台（２１）に作業機着脱部（２３）が設けられ、かつ前記走行用パワーユニット（２２）に外部電力受電用のケーブル接続部（２４）が設けられている作業機搬送用走行機（２）を備え、
前記走行機着脱部（１３）と作業機着脱部（２３）との着脱によって前記作業機搬送用走行機（２）の上に前記可搬作業機（１）が着脱可能に形成され、
かつ前記走行機向け送電用のケーブル接続部（１４）と前記外部電力受電用のケーブル接続部（２４）を接続するための電源ケーブル（３０）が設けられ、
かつ前記可搬作業機（１）の機台（１０）に、当該可搬作業機（１）を安定よく設置させるためと、前記作業機搬送用走行機（２）の上に前記可搬作業機（１）を着脱させる際に可搬作業機（１）を昇降させるためのアウトリガー（１５）が設けられていることを特徴とする可搬式作業装置。
【発明の詳細な説明】
【技術分野】
【０００１】
本発明は、砕石工事現場やトンネル工事現場や土木工事現場等（以下、「オフロード現場」という）に設置される砕石作業機や砕石選別作業機等を可搬式に形成した可搬作業機と、この可搬作業機をオフロード現場内で移動させるための作業機用走行機を備えた可搬式作業装置に関する。
【背景技術】
【０００２】
オフロード現場に設置される砕石作業機や砕石選別作業機等（以下、「作業機」という）は、状況に応じて設置場所を移動させることが必要になる場合がある。
これに対処するためのものとして、従来、自走式破砕機が知られている（特許文献１参照）。
【０００３】
従来の自走式破砕機は走行装置を備えた車体にジョークラッシャー（破砕作業機）を一体的に搭載させたものである。
尚、このジョークラッシャーの電源となる発電機は車体に搭載され、かつこの発電機は走行装置を駆動させるためのパワーユニットの電源としても使用されている。
【先行技術文献】
【特許文献】
【０００４】
【特許文献１】特開２０１１−２５１６７号公報
【発明の概要】
【発明が解決しようとする課題】
【０００５】
しかしながら従来のように、走行装置と作業機が一体になった自走式作業機では、全体構造が大掛かりになるため、製造コストが高くなる、製品価格が高価になる、構造が複雑になる、メンテナンスがやり難い、設置を安定させ難い、トレーラ等による移送に際し積載重量制限を受け易く積み込み時の制約が多くなる、などの問題があった。
【０００６】
本発明は、オフロード現場での移動を可能にさせることを主眼とし、その上で従来の自走式作業機では全体構造が大掛かりになるといった問題を解決し、製造コストの低減、安価な製品価格、構造の簡素化、メンテナンスの容易化、設置の安定性、積み込み時の制約軽減を得ることができる可搬作業機と、この可搬作業機をオフロード現場内で移動させるための作業機搬送用走行機とを備えた可搬式作業装置を提供することを課題としている。
【課題を解決するための手段】
【０００７】
本発明（請求項１）の可搬式作業装置（３）は、
作業機（１１）及びその作業機（１１）の電力源となる発電機（１２）が機台（１０）に搭載され、前記機台（１０）に走行機着脱部（１３）が設けられ、かつ前記発電機（１２）に走行機向け送電用のケーブル接続部（１４）が設けられている可搬作業機（１）と、
走行装置（２０）に設けた載置台（２１）に走行用パワーユニット（２２）が搭載され、前記載置台（２１）に作業機着脱部（２３）が設けられ、かつ前記走行用パワーユニット（２２）に外部電力受電用のケーブル接続部（２４）が設けられている作業機搬送用走行機（２）を備え、
前記走行機着脱部（１３）と作業機着脱部（２３）との着脱によって前記作業機搬送用走行機（２）の上に前記可搬作業機（１）が着脱可能に形成され、
かつ前記走行機向け送電用のケーブル接続部（１４）と前記外部電力受電用のケーブル接続部（２４）を接続するための電源ケーブル（３０）が設けられ、
かつ前記可搬作業機（１）の機台（１０）に、当該可搬作業機（１）を安定よく設置させるためと、前記作業機搬送用走行機（２）の上に前記可搬作業機（１）を着脱させる際に可搬作業機（１）を昇降させるためのアウトリガー（１５）が設けられている構成とした。
【発明の効果】
【０００８】
本発明の可搬式作業装置（請求項１）は可搬作業機と作業機搬送用走行機を備えている。
可搬作業機は、機台に作業機及びその作業機の電源となる発電機が搭載され、走行装置を備えず、機台に走行機着脱部が設けられている点に特徴がある。
このように走行装置を備えていないため、従来の自走式作業機に比べ全体構造がコンパクトになり、製造コストの低減、安価な製品価格、構造の簡素化、メンテナンスの容易化、設置の安定性、積み込み時の制約軽減を得ることができる。
【０００９】
そして、この可搬作業機をオフロード現場で移動させる場合には、別途に用意した作業機搬送用走行機を利用するもので、この作業機搬送用走行機を装着できるようにするための構成として機台に走行機着脱部を設けている。
従って、前記走行機着脱部を介して可搬作業機を作業機搬送用走行機の上に装着させることにより可搬作業機を必要な場所に移動させることができる。
なお、作業機搬送用走行機の駆動は可搬作業機に設けた発電機からの電力を使用することができるもので、そのために発電機に走行機向け送電用のケーブル接続部を設けている。
【００１０】
このようにして可搬作業機を移動させた後は、この可搬作業機から作業機搬送用走行機を分離させ、可搬作業機を単独で使用するもので、この可搬作業機の駆動は機台に搭載した発電機の電力を使用することができる。
【００１１】
又、可搬作業機の機台にアウトリガー装置を設けたので、この可搬作業機を安定よく設置させることができるし、作業機搬送用走行機の上に可搬作業機を着脱させる際に可搬作業機を昇降させることができ、着脱作業が容易になる。
【００１２】
作業機搬送用走行機は、前記可搬作業機をオフロード現場で移動させるために使用する走行手段であり、作業機及び発電機を備えず、載置台に走行用パワーユニットと作業機着脱部が設けられている。
従って、前記作業機着脱部を介して可搬作業機を装着させ、この作業機搬送用走行機を駆動させることで可搬作業機を必要な場所に移動させることができる。
【００１３】
このようにして可搬作業機を移動させた後は、可搬作業機から作業機搬送用走行機を分離させることができるもので、分離した作業機搬送用走行機を単独で適宜場所に移動させ保管させることができる。
この作業機搬送用走行機は発電機を備えていないため、走行用パワーユニットに設けた外部電力受電用のケーブル接続部を介して前記可搬作業機の発電機から電力供給を受けて走行用パワーユニットを駆動させ走行させることができる。
又、発電機を備えていない分だけ構造の簡素化や軽量化ができるし、トレーラ等による移送が容易になる等の効果を得ることができる。
【００１４】
本発明の可搬式作業装置は、前記可搬作業機と作業機搬送用走行機との組み合わせに係る発明である。
両者を走行機着脱部と作業機着脱部とによって着脱させ、かつ走行機向け送電用のケーブル接続部と外部電力受電用のケーブル接続部を電源ケーブルによって接続させることにより、可搬作業機を装着させた状態でも、又は可搬作業機を分離させた状態でも作業機搬送用走行機を走行させることができる。
【００１５】
これにより、走行装置を備えていない可搬作業機をオフロード現場で移動可能にさせることができるし、可搬作業機の全体構造を従来の自走式作業機に比べてコンパクト化させることができる。
又、分離した作業機搬送用走行機を電源ケーブルの長さの範囲内で単独移動させることができるので、適宜場所に移動させ保管させることができるし、トレーラへの積み下ろし作業を容易に行うことができる。
【図面の簡単な説明】
【００１６】
【図１】本発明の実施例にかかる可搬式作業装置を示すもので、可搬作業機と作業機搬送用走行機を分離させた状態の概略側面図。
【図２】本発明の実施例にかかる可搬式作業装置を示すもので、可搬作業機を作業機搬送用走行機に装着させた状態の概略側面図。
【発明を実施するための形態】
【００１７】
本実施例の可搬式作業装置３は、可搬作業機１と、この可搬作業機１を着脱可能に装着させる作業機搬送用走行機２との組み合わせに係る発明である。
【００１８】
前記可搬作業機１は、機台１０に、作業機１１と、その作業機１１の電力源となる発電機１２と、破砕処理後の砕石を排出させるためのベルトコンベア１６が搭載されている。
本実施例では破砕機であるジョークラッシャーを作業機１１の例としている。
このほか、作業機１１としては、インパクトクラッシャー、ロールクラッシャー等の破砕機、又はグリズリフィーダ、スクリーン等の選別機、又は破砕機と選別機を連続して設けた破砕選別連続作業機等を使用できる。
【００１９】
前記発電機１２は、石油系燃料によって駆動するエンジンを用いてゼネレータを駆動させ発電を行うもので、主に前記作業機１１の駆動電源として使用するほか、後述するアウトリガー１５の油圧駆動電源、又、後述する作業機搬送用走行機２に設けたパワーユニット２２の駆動電源、その他の機器用電源として使用する。
そして、この発電機１２には、後述する作業機搬送用走行機２に走行用電源を送電するための走行機向け送電用のケーブル接続部１４が設けられている。
【００２０】
前記可搬作業機１の機台１０には、その４角部分に油圧シリンダによるアウトリガー１５が設けられている。
このアウトリガー１５は、可搬作業機１を適正かつ安定的に設置するためと、前記作業機搬送用走行機２の上に前記可搬作業機１を着脱させる際に可搬作業機１を昇降させるためのもので、使用時には機台１０の下方に延長して伸縮可能な脚体として機能し、不使用時は機台１０の下面に沿うように横向きに延長し格納される。
【００２１】
次に、前記作業機搬送用走行機２は、走行装置２０に設けた載置台２１に走行用パワーユニット２２が搭載されている。
【００２２】
実施例では前記走行装置２０としてクローラ走行装置を使用している。
このクローラ走行装置は左右にクローラ（履帯）２０ａが平行に配設されたもので、このクローラ２０ａがトラックフレーム２０ｂの一端に設けた駆動輪２０ｃと他端に設けた従動輪２０ｄの間に巻回されている。
【００２３】
前記走行用パワーユニット２２は、油圧駆動又は電力駆動で走行装置２０を駆動させるためのもので、外部電力受電用のケーブル接続部２４が設けられている。
従って、前記可搬作業機１の発電機１２に設けた走行機向け送電用のケーブル接続部１４と、前記作業機搬送用走行機２に設けた外部電力受電用のケーブル接続部２４を電源ケーブル３０によって接続させれば、走行用パワーユニット２２に可搬作業機１の発電機１２から電力を供給することができる。
【００２４】
これにより、可搬作業機１を載置させた状態で作業機搬送用走行機２を走行させれば、可搬作業機１をオフロード現場で移動させることができる。
又、可搬作業機１から分離した状態で作業機搬送用走行機２を走行させることができるもので、この可搬作業機１から分離した状態では作業機搬送用走行機２の走行範囲は電源ケーブル３０の長さ範囲に制約される。
尚、作業機搬送用走行機２を走行させるための電源として、可搬作業機１の発電機１２以外に、別置きの発電機又は商用電電を使用することができる。
【００２５】
上記のように可搬作業機１は作業機搬送用走行機２に着脱可能に装着されるものであるが、その着脱構造は、前記作業機搬送用走行機２の載置台２１に作業機着脱部２３を設け、一方、可搬作業機１の機台１０に走行機着脱部１３を設け、この作業機着脱部１３と走行機着脱部２３とを着脱させる構成になっている。
【００２６】
実施例では、可搬作業機１の機台１０の下面に走行機着脱部１３としての凹部を形成させ、この走行機着脱部１３（凹部）に着脱可能に嵌め込まれるように前記載置台２１を形成させて、この載置台２１自身を作業機着脱部２３として前記走行機着脱部１３（凹部）に着脱可能に嵌め込む着脱構造になっている。
尚、着脱構造は前記した実施例に限定されることはなく、作業機搬送用走行機２の載置台２１に可搬作業機１の機台１０を確実に載置し固定できる構造であれば良い。
【００２７】
本実施例の可搬式作業装置３の使用形態例を説明すると、通常は作業機搬送用走行機２と可搬作業機１とは分離させ、可搬作業機１を単独でオフロード現場の所定位置に設置させた状態で作業機１１としてのジョークラッシャーで岩石の破砕作業を行う。
分離した作業機搬送用走行機２は、当該オフロード現場の適宜場所に単独で移動させ保管させておいても良いし、トレーラに単独で積み込んで所定の場所に運搬させ、そこに保管させておいても良い。
【００２８】
又、複数機の可搬作業機１に対して１個の作業機搬送用走行機２を用意させ、この作業機搬送用走行機２を設置場所や作業機１１の種類が異なる複数の可搬作業機１に対しての共通の移動手段として使用できる。
この場合、複数の可搬作業機１に形成させる走行機着脱部１３を同一構造に形成させ、そのいずれもが作業機搬送用走行機２の作業機着脱部２３に対して着脱可能になるように形成させる必要がある。
【００２９】
そして、可搬作業機１をオフロード現場内で移動させる必要が生じた場合、作業機搬送用走行機２を保管場所から当該オフロード現場に運搬させ、そこで両ケーブル接続部１４、２４間を電源ケーブル３０によって接続させ、作業機搬送用走行機２を走行可能にさせる。
次に、アウトリガー１５によって可搬作業機１の機台１０を上昇させたのち、作業機搬送用走行機２を可搬作業機１の機台１０の下方に移動走行させる。
【００３０】
次に、図２で示すように、両着脱部１３、２３が連結するようにアウトリガー１５によって可搬作業機１の機台１０を下降させることで作業機搬送用走行機２の上に可搬作業機１を装着させるもので、この状態のまま作業機搬送用走行機２を走行させて可搬作業機１を所定位置に移動させる。この際、アウトリガー１５は格納状態にしておく。
【００３１】
そして、作業機搬送用走行機２で可搬作業機１を所定位置に移動させたのち、両着脱部１３、２３を解除させるようにアウトリガー１５によって可搬作業機１の機台１０を上昇させ、その後、作業機搬送用走行機２を可搬作業機１の機台１０の下方から出し、作業機搬送用走行機２と可搬作業機１を分離させる。
尚、着脱作業を容易にさせるために、作業機搬送用走行機２の載置台２１を適宜の昇降手段（図示せず）によって昇降可能に形成させることもできる。
【００３２】
その後、可搬作業機１をアウトリガー１５によって確実かつ安定よく設置させ、そこで再び作業機１１としてのジョークラッシャーで岩石の破砕作業を行う。
分離させた作業機搬送用走行機２は所定の保管場所に移動し、或いはトレーラ等で所定の保管場所に運搬され、次の出動まで待機する。
【符号の説明】
【００３３】
１  可搬作業機
１０  機台
１１  作業機
１２  発電機
１３  走行機着脱部
１４  ケーブル接続部
１５  アウトリガー
２  作業機搬送用走行機
２０  走行装置
２１  載置台
２２  走行用パワーユニット
２３  作業機着脱部
２４  ケーブル接続部
３  可搬式作業装置
３０  電源ケーブル
【図１】
0005546562.tif 000002
【図２】
0005546562.tif 000003